(57)【要約】【課題】中長期的に認証を行うシステムにおいては、対象人物の加齢や特性の変化に起因する中長期的な経年変化に伴い、辞書情報として登録している生体情報を更新していく必要があるが、照明条件・入力方向・タイミングを含む入力状況にばらつきがある中で、経年変化による変化を的確に辞書情報を更新していくことが困難であった。【解決手段】認識対象となる人物の生体情報を保存する人物認証用辞書を更新する方法は、所定の期間内に受け付けた、問い合わせ生体情報を履歴蓄積手段に蓄積する蓄積工程と、蓄積された問い合わせ生体情報同士の類似度を測定して、生体情報の対毎の類似度を作成する作成工程と、類似度が高いと判定された生体情報の対に基づき、人物認証用辞書を更新する更新工程と、を含む。【選択図】図１
2014067171.tif 000002
【特許請求の範囲】
【請求項１】
認識対象となる人物の生体情報を保存する人物認証用辞書を更新する方法であって、
所定の期間内に受け付けた、問い合わせ生体情報を履歴蓄積手段に蓄積する蓄積工程と、
前記蓄積された問い合わせ生体情報同士の類似度を測定して、生体情報の対毎の類似度を作成する作成工程と、
類似度が高いと判定された生体情報の対に基づき、前記人物認証用辞書を更新する更新工程と、
を含むことを特徴とする人物認証用辞書更新方法。
【請求項２】
前記更新工程は、類似する生体情報の対の総数があらかじめ定めた数以上であったときに、前記類似度が高いと判定された生体情報の対をなす少なくとも一つの生体情報を用いて、前記人物認証用辞書を更新する、
ことを特徴とする請求項１に記載の人物認証用辞書更新方法。
【請求項３】
前記更新工程は、類似する生体情報の対により相互に隣接する生体情報の最大値があらかじめ定めた数以上であったときに、前記相互に隣接する生体情報の最大値を与える生体情報群のうち少なくとも一つの生体情報を用いて、前記人物認証用辞書を更新する、
ことを特徴とする請求項１に記載の人物認証用辞書更新方法。
【請求項４】
前記蓄積工程は、認証を行う対象となる人物毎に問い合わせ生体情報を前記履歴蓄積手段に蓄積し、
前記作成工程は、前記対象人物毎に、前記蓄積された問い合わせ生体情報同士の類似度を測定して、前記生体情報の対毎の類似度を作成する、
ことを特徴とする請求項１乃至３のいずれか一項に記載の人物認証用辞書更新方法。
【請求項５】
受け付けた問い合わせ生体情報と前記人物認証用辞書とを照合する照合工程を含み、
前記蓄積工程は、前記照合工程において算出された前記受け付けた問い合わせ生体情報の類似度が所定の類似度より高いと判定された場合に、前記受け付けた問い合わせ生体情報を対応する人物の問い合わせ生体情報として前記履歴蓄積手段に蓄積する、
ことを特徴とする請求項４に記載の人物認証用辞書更新方法。
【請求項６】
受け付けた問い合わせ生体情報と前記人物認証用辞書とを照合する照合工程を含み、
前記蓄積工程は、前記照合工程において算出された前記受け付けた問い合わせ生体情報の類似度が、あらかじめ定めた第１の類似度より高く、あらかじめ定めた第２の類似度より低かった場合に、前記受け付けた問い合わせ生体情報を対応する人物の問い合わせ生体情報として前記履歴蓄積手段に蓄積する、
ことを特徴とする請求項４に記載の人物認証用辞書更新方法。
【請求項７】
前記更新に用いる問い合わせ生体情報が選択された際に、利用者または管理者に対して更新の有無の確認を行う確認工程を更に含み、
前記更新工程は、前記確認工程にて更新指示が出た際に更新を行う、
ことを特徴とする請求項１乃至５のいずれか一項に記載の人物認証用辞書更新方法。
【請求項８】
認識対象となる人物の生体情報を保存する人物認証用辞書を更新する人物認証用辞書更新装置であって、
所定の期間内に受け付けた、問い合わせ生体情報を蓄積する履歴蓄積手段と、
前記蓄積された問い合わせ生体情報同士の類似度を測定して、生体情報の対毎の類似度を作成する作成手段と、
類似度が高いと判定された生体情報の対に基づき、前記人物認証用辞書を更新する更新部と、
を備えたことを特徴とする人物認証用辞書更新装置。
【請求項９】
コンピュータに、認識対象となる人物の生体情報を保存する人物認証用辞書を更新させる人物認証用辞書更新プログラムであって、前記コンピュータに、
所定の期間内に受け付けた、問い合わせ生体情報を履歴蓄積手段に蓄積する蓄積手順と、
前記蓄積された問い合わせ生体情報同士の類似度を測定して、生体情報の対毎の類似度を作成する作成手順と、
類似度が高いと判定された生体情報の対に基づき、前記人物認証用辞書を更新する更新手順と、
を実行させる人物認証用辞書更新プログラム。
【請求項１０】
少なくとも１つの端末と、サーバとから構成され、人物の認証を行う人物認証システムであって、前記サーバは、
認識対象となる前記人物の生体情報を保存する人物認証用辞書と、
前記少なくとも１つの端末から所定の期間内に受け付けた、問い合わせ生体情報を蓄積する履歴蓄積手段と、
前記蓄積された問い合わせ生体情報同士の類似度を測定して、生体情報の対毎の類似度を作成する作成手段と、
類似度が高いと判定された生体情報の対に基づき、前記人物認証用辞書を更新する更新部と、
前記少なくとも１つの端末から受け付けた問い合わせ生体情報と前記人物認証用辞書とを照合する照合手段と、
を備えたことを特徴とする人物認証システム。
【発明の詳細な説明】
【技術分野】
【０００１】
本発明は、人物の顔画像、指紋画像、虹彩情報、掌形画像、指画像、音声情報などの生体情報を用いて、当該人物を認識する人物認識方法および人物認識装置に関し、より具体的には、人物認証のために蓄積保存する人物認証用辞書を更新するための方法及び装置に関する。
【背景技術】
【０００２】
セキュリティ管理などにおいて、人物の顔画像、指紋画像、虹彩情報、掌形画像、指画像、音声情報などの生体情報を用いて、当該人物を認識（認証）する人物認識装置（人物認証装置）並びにサービスは数多く提案され、実際に運用されている。
【０００３】
一般にこの種の人物認証装置は、認識対象となる人物の生体情報を取得し、この取得した生体情報と、あらかじめ認識対象となる人物の生体情報を登録情報として保存する登録情報蓄積手段に保持されている登録情報と照合することにより、両者の類似度を求め、この求めた類似度に基づき当該人物を認識（認証）するようになっている（例えば、特許文献１−３参照）。
【０００４】
このような人物認証装置においては、システム運用継続に際して対象となる人物の風貌等の生体情報が変化していくことにより新規に入力された生体情報が登録情報保持手段に保持された登録情報と異なってしまうという経年変化や、入力条件（撮影方向、環境、姿勢）変動に起因する入力ばらつきにより、本人を誤排除してしまう問題があった。このような問題を軽減するために、あらかじめ本人の生体的な特徴情報が登録情報として記録されている辞書（登録情報保持手段）の更新に関する技術が提案されている。
【０００５】
たとえば、認証閾値とは別に、当該認証閾値より高い再登録用閾値を設定しておき、照合時に求めた類似度が、当該再登録用閾値よりも高いときに登録情報（辞書）の更新を行う技術が開示されている（例えば、特許文献４参照）。
【０００６】
また、ＩＤ番号や暗証番号の入力と組み合わせて認証閾値を下げる仕組みを持ち、認証閾値を下げずに照合成功したときに、登録情報（辞書）の更新を行う技術が開示されている（例えば、特許文献５参照）。
【０００７】
また、特許文献６では、照合時の類似度があらかじめ所定の更新範囲内にあるときに、登録情報（辞書）の更新を行う技術を開示している。特許文献６では、仮の登録情報が作成されると、履歴情報記憶部に保存されている過去に入力された１つまたは複数の顔の特徴情報との類似度を計算する。同様に、登録情報保存部に保存されている既存の登録情報も同じ処理を行なって類似度を計算する。その結果、過去に入力された１つまたは複数の特徴情報との平均類似度が、仮の登録情報の方が高くなるようであれば、登録情報保持部に保存されている登録情報を仮の登録情報と置き換え、仮の登録情報を本来の辞書として登録する。
【０００８】
また、静止画像からの顔特徴量の抽出方法並びに顔特徴量を用いた類似度算出方法に関しては、多くの方法が提案されている。一例として、特許文献７は、顔特徴量の抽出方法並びに顔特徴量を用いた類似度算出方法を記載している。
【０００９】
特許文献８は、生体情報認証において、生体情報を改竄する方法にかかわらず、本人以外の第三者が成りすまして認証されることを防止する技術を開示している。この特許文献８では、問い合わせ入力と辞書データの類似度が一定以上のときに同一人物判定を行うが、過去の問い合わせのスコアの最大値を越えた場合に（あまりに似すぎているので）成りすましであると判定している。
【００１０】
また、特許文献９は、顔照合用の辞書内に類似する顔パターンが存在する場合であっても、一定の照合性能及びセキュリティレベルを維持することが可能な技術を開示している。特許文献９では、顔画像の履歴データを残す点を記載しているが、その履歴データは、保存用ＰＣのディスプレイに履歴データに基づく顔画像を表示させ、管理者が不審者や不正アクセスのいたずらの常習者を選別するためのものである。
【００１１】
特許文献１０は、動画像を利用して、複数の顔画像を辞書データとして登録する技術を開示している。特許文献１０では、入力動画像から、正面顔を抽出した後に同一の動画から（トラッキングによる一致性を利用して）、顔向き、ひげの有無などのバリエーションのある画像を辞書データの候補として抽出し保存している。また、特許文献１０では、顔画像辞書に登録されている顔画像と、あらたに抽出した登録用顔画像とのうち、どちらが顔認証に適しているかを認識信頼度の比較を用いて判定している。そして、特許文献１０では、あらたに抽出した顔画像の方が、顔認証に適していると判定したとき、既存の顔画像を、あらたに抽出した顔画像によって置き換えている。ここで、「認識信頼度」とは、ピックアップ条件の満たし具合を数値化したもので、顔の向きなら、５度、８度である。
【００１２】
特許文献１１は、被写体を撮影するときの撮影条件が被写体ごとに異なっていても誤認証を抑えられるようにした技術を開示している。特許文献１１では、あらかじめさまざまな撮影条件（環境／方向を含む）で撮影したデータを辞書データとして蓄えておき、入力された問い合わせ画像の撮影条件を抽出し、もっとも似ている撮影条件のものと照合することにより誤認識を抑えている。
【先行技術文献】
【特許文献】
【００１３】
【特許文献１】特開２００３−０５８５０８号公報
【特許文献２】特開平１１−１６１７９０号公報
【特許文献３】特開２００５−０３２０５１号公報
【特許文献４】特開平１１−１６７６３２号公報
【特許文献５】特開平１０−３１２４６２号公報
【特許文献６】特開２００４−１５７６０２号公報（段落［００７２］）
【特許文献７】特開２００２−１５７５９５号公報
【特許文献８】特開２０１１−０５９７９１号公報
【特許文献９】特開２００８−０７１３６６号公報
【特許文献１０】特開２００７−２４９５８８号公報（段落［０１４２］）
【特許文献１１】特開２００７−１６４４０１号公報
【発明の概要】
【発明が解決しようとする課題】
【００１４】
中長期的に認証を行うシステムにおいては、対象人物の加齢や特性の変化に起因する中長期的な経年変化に伴い、辞書情報として登録している生体情報を更新し、証明条件や入力方向、タイミングを含む入力状況のばらつきに起因する変化や、顔へのペインティング等に代表される短期的な変化に対しては生体情報を更新しないことが望ましい。
【００１５】
しかしながら、上述した提案されている認識システムにおいては、辞書登録情報と入力させた生体情報との類似度のみが評価されるため、このような、中長期的な経年変化に伴う変化と、入力状況のばらつきに起因する変化や短期的な変化を区別した上で辞書情報を更新することが困難であるという問題がある。
【００１６】
［発明の目的］
本発明はこのような状況を鑑みてなされたものである。本発明の目的は、人物認識（認証）に用いられる辞書情報を、利用者の中長期的な経年変化に対してのみ更新を行うことで、入力状況のばらつきや短期的な変化に認識（認証）精度が変更されることなく、現在の利用者の生体情報の状況に則した辞書情報更新を実現することにある。
【課題を解決するための手段】
【００１７】
本発明の一形態は、認識対象となる人物の生体情報を保存する人物認証用辞書を更新する方法であって、所定の期間内に受け付けた、問い合わせ生体情報を履歴蓄積手段に蓄積する蓄積工程と、蓄積された問い合わせ生体情報同士の類似度を測定して、生体情報の対毎の類似度を作成する作成工程と、類似度が高いと判定された生体情報の対に基づき、人物認証用辞書を更新する更新工程と、を含むことを特徴とする。
【発明の効果】
【００１８】
本発明の効果は、人物認証用辞書の情報を、対象となる人物の中長期的な変動（経年変化等の）を反映して更新することができることである。これにより、中長期の運用に対して安定して人物の認識（認証）を高精度に行うことが可能になる。また、入力のばらつきや短期的な特徴変動の影響を受けることなく、安定した特徴のみを用いた辞書構築が可能になり、高精度の人物認識（認証）を実現することができる。
【図面の簡単な説明】
【００１９】
【図１】本発明の第１の実施の形態における人物認証装置のブロック図である。
【図２】図１に示した人物認証装置の第１の人物認証用辞書更新方法を説明するフローチャートである。
【図３】問い合わせ履歴に基づく辞書更新の仕組みを模式的に示した図である。
【図４】辞書の更新の可否判定に関して説明した図である。
【図５】辞書の更新の可否判定に関して説明した図である。
【図６】本発明の第２の実施の形態における人物認証装置のブロック図である。
【図７】図６に示した人物認証装置の第２の人物認証用辞書更新方法を説明するフロチャートである。
【図８】問い合わせ履歴の更新の方式の一例を模式的に示した図である。
【図９】問い合わせ履歴の更新基準の一例を示した図である。
【図１０】本発明の第３の実施の形態における人物認証システムのブロック図である。
【図１１】図１０に示した人物認証システムを用いたサービス利用方法の一例を示す図である。
【発明を実施するための形態】
【００２０】
［第１の実施の形態］
本発明を実施するための第１の実施の形態について、図面を参照して説明する。
【００２１】
図１を参照すると、本発明の第１の実施の形態に係る人物認証装置は、問い合わせ入力手段１００１０と、登録情報蓄積手段１００２０と、照合手段１００３０と、人物判定手段１００４０と、問い合わせ履歴蓄積手段１００５０と、履歴情報照合手段１００６０と、更新可否判定手段１００７０と、更新手段１００８０と、より構成される。
【００２２】
問い合わせ入力手段１００１０は、認識のために人物の生体情報を入力する。登録情報蓄積手段１００２０は、あらかじめ認識対象となる人物の生体情報を登録情報として保存する。照合手段１００３０は、問い合わせ入力手段１００１０により入力された生体情報と、登録情報蓄積手段１００２０に保持されている生体情報の類似度を計算し照合を行う。人物判定手段１００４０は、照合手段１００３０の算出する類似度に基づき対象人物を特定する。問い合わせ履歴蓄積手段１００５０は、問い合わせ入力手段１００１０により入力された生体情報を蓄積する。履歴情報照合手段１００６０は、問い合わせ履歴蓄積手段１００５０に保持される生体情報間の類似度を計算する。更新可否判定手段１００７０は、履歴情報照合手段１００６０の照合結果に基づき更新可否を判定する。更新手段１００８０は、更新可否判定手段１００７０の判定結果に基づき登録情報蓄積手段１００２０に保持される登録情報を更新する。
【００２３】
問い合わせ入力手段１００１０は、一例として、カメラ/ビデオカメラといった撮影装置がある。カメラ/ビデオカメラは、利用される生体情報が顔、シルエット、指紋などの視覚的情報のときに特によく用いられる。使用される生体情報が音声である場合、問い合わせ入力手段１００１０として、マイクロフォン等を用いてもよい。また生体情報が指紋等であった場合、問い合わせ入力手段１００１０としてタッチコントロールセンサを用いてもよい。
【００２４】
登録情報蓄積手段１００２０は、一例として、ハードディスク・フラッシュメモリなどの記憶装置からなる。登録情報蓄積手段１００２０は、専用の蓄積装置であっても、他の蓄積装置との兼用であってもかまわない。登録情報蓄積手段１００２０は、生体情報のみを蓄積する形態であってもよいし、生体情報の対象となる人物の所属・年齢等の属性情報を記録するデータベース等を有する形式であってもかまわない。
【００２５】
従って、登録情報蓄積手段１００２０は、認識対象となる人物の生体情報を保存する人物認証用辞書（１００２０）として作用する。
【００２６】
照合手段１００３０は、一例として、あらかじめ定められたルールにて動作するプログラムを搭載したＣＰＵからなる。照合手段１００３０は、問い合わせ入力手段１００１０から受け取った入力情報と、登録情報蓄積手段１００２０に蓄積されている生体情報を直接照合して類似度を算出するように動作する。問い合わせ入力手段１００１０からの入力が画像・音響情報といったメディア情報である場合、照合手段１００３０は、入力されたメディア情報から生体情報（生体特徴量）を抽出した上で照合を行うように動作してもよい。また、登録情報蓄積手段１００２０の蓄積形態によっては、照合手段１００３０は、登録情報蓄積手段１００２０に蓄積された蓄積情報に対しても加工を施した上で照合を行うように動作してもよい。
【００２７】
人物判定手段１００４０は、一例として、あらかじめ定められたルールにて動作するプログラムを搭載したＣＰＵからなる。人物判定手段１００４０は、照合手段１００３０が算出した類似度が、あらかじめ定めた閾値よりも大きい場合に、対応する登録情報蓄積手段１００２０からよみだして照合した人物であると判定するよう動作する。人物判定手段１００４０は、出力手段と結びついて、該人物の名前を表示するように動作してもよい。また、あらかじめ特定の人物を検知したいというサービスにおいては、人物判定手段１００４０は、アラーム等の出力装置と連携して、該当した際に音をならすという動作を行うようにしてもよい。
【００２８】
また、照合手段１００３０および人物判定手段１００４０は、登録情報蓄積手段１００２０に蓄積されている複数の人物に対する生体情報を次々と読み出し、おのおのに対して問い合わせ入力からの生体情報との間の類似度を測定し、人物判定手段１００４０は、その中でもっとも類似度の高い登録辞書蓄積手段中の人物を対象人物として出力するように動作してもよい。
【００２９】
問い合わせ履歴蓄積手段１００５０は、一例として、ハードディスク・フラッシュメモリなどの記憶装置からなる。問い合わせ履歴蓄積手段１００５０は、専用の蓄積装置であっても、他の蓄積装置との兼用であってもかまわない。問い合わせ履歴蓄積手段１００５０は、画像あるいは動画といった入力されたメディア情報をそのまま蓄積する形態であってもよいし、あらかじめ生体情報を抽出し、抽出した生体情報のみを蓄積する形態であってもよい。問い合わせ履歴蓄積手段１００５０は、生体情報にあわせて時間情報を保存し、一定期間の問い合わせ情報のみを蓄積するように動作してもよいし、新規に入力があった場合に最も古い生体情報を消去し、常に一定の個数だけを蓄積するように動作してもよい。
【００３０】
換言すれば、問い合わせ入力手段１００１０は、所定の期間内に受け付けた、問い合わせ生体情報を履歴蓄積手段（１００５０）に蓄積する蓄積手段（１００１０）として働く。
【００３１】
履歴情報照合手段１００６０は、一例として、あらかじめ定められたルールにて動作するプログラムを搭載したＣＰＵからなる。履歴情報照合手段１００６０は、問い合わせ履歴蓄積手段１００５０からこれまでに入力された問い合わせ生体情報をうけとり、生体情報の類似度を算出するように動作する。問い合わせ履歴蓄積手段１００５０で蓄積される情報が画像・音響情報といったメディア情報である場合、履歴情報照合手段１００６０は、入力されたメディア情報から生体情報（生体特徴量）を抽出した上で照合を行うように動作する。履歴情報照合手段１００６０は、蓄積された生体情報のすべての組み合わせに対して類似度を算出するように動作してもよいし、全ての組み合わせから選択された複数の組み合わせに対して類似度を算出するように動作してもよい。
【００３２】
ＣＰＵは、履歴情報照合手段１００６０のみを行うようになっていてもよいし、照合手段１００３０等の他の手段も実行するようになっていてもよい。
【００３３】
類似度の算出に際しては、生体情報Ａからみた生体情報Ｂの類似度と、生体情報Ｂからみた生体情報Ａの類似度とが異なる値を示すことがある。この場合には、履歴情報照合手段１００６０は、生体情報Ａからみた生体情報Ｂの類似度と、生体情報Ｂからみた生体情報Ａの類似度とから生体情報ＡＢ間の相互の類似度を算出し、代用しても良い。一例として双方の算術平均をとるなどがあるが、それ以外の方法であっても構わない。
【００３４】
従って、履歴情報照合手段１００６０は、履歴蓄積手段（１００５０）に蓄積された問い合わせ生体情報同士の類似度を測定して、生体情報の対毎の類似度を作成する作成手段（１００６０）として働く。
【００３５】
更新可否判定手段１００７０は、一例として、あらかじめ定められたルールにて動作するプログラムを搭載したＣＰＵからなる。更新可否判定手段１００７０は、履歴情報照合手段１００６０が生体情報の対の類似度が算出したあらかじめ定めた閾値よりも大きい場合にカウントを行い、履歴情報照合手段１００６０が行った類似度算出の中で、類似度があらかじめ定めた閾値よりも高い対がどの程度あるかを測定し、閾値よりも多かった場合に更新の判定を行うように動作する。判定に際して、閾値は高い類似度のペアの出現数であってもよいし、出現確率であってもよい。更新可否判定手段１００７０は、入力手段を有し、閾値を利用者またはシステム管理者により設定できるような構成になっていてもよい。
【００３６】
ＣＰＵは更新可否判定手段１００７０のみを行うようになっていてもよいし、照合手段１００３０等の他の手段も実行するようになっていてもよい。
【００３７】
更新手段１００８０は、一例として、あらかじめ定められたルールにて動作するプログラムを搭載したＣＰＵからなる。更新手段１００８０は、更新可否判定手段１００７０より類似度の高い生体情報の対をうけとり、問い合わせ履歴蓄積手段１００５０に蓄積された対応する生体情報を用いて登録情報蓄積手段１００２０中の辞書情報を更新する。更新に際しては、更新手段１００８０は、複数の生体情報の一つを選択して辞書情報の最も古いデータと置き換えるように動作してもよいし、複数の生体情報を用いて置き換えるあるいは演算により値を変更するといったように動作してもよい。
【００３８】
ＣＰＵは、更新手段１００８０のみを行うようになっていてもよいし、照合手段１００３０等の他の手段も実行するようになっていてもよい。
【００３９】
従って、更新可否判定手段１００７０と更新手段１００８０との組み合わせは、類似度が高いと判定された生体情報の対に基づき、人物認証用辞書（１００２０）を更新する更新部（１００７０，１００８０）として働く。
【００４０】
次に、図１及び図２のフローチャートを参照して、本発明の第１の実施の形態に係る人物認証装置の全体の動作例について説明する。
【００４１】
ここでは、生体情報を人物の顔特徴情報とし、入力はカメラにて撮影された静止画像であり、登録情報として蓄積されている情報は、静止画像から抽出した顔特徴量とする。
【００４２】
静止画像からの顔特徴量の抽出方法並びに顔特徴量を用いた類似度算出方法に関しては多くの方法が提案されている。一例として、前述した特許文献７に記載された顔特徴量の抽出方法並びに顔特徴量を用いた類似度算出方法がある。特徴量抽出並びに類似度算出に関しては、画像または映像などのコンテンツから顔特徴量を抽出し、類似度または一致度が測定できれば、特許文献７に記載された特徴量でなくても構わない。
【００４３】
本発明の第１の実施の形態に係る人物認証装置の動作例の説明では、生体情報が顔特徴情報であるとして説明するが、生体情報の抽出が実行でき、蓄積された生体情報間で類似度または一致度が算出できれば、同様のフローで実現可能である。したがって、例えば、本発明の第１の実施の形態に係る人物認証装置は、指紋画像、虹彩情報、掌形画像、指画像、音声情報といった生体情報にもそのまま適用することが可能であることは明らかである。
【００４４】
登録情報蓄積手段１００２０には、あらかじめ利用者の顔特徴量（生体情報）が、利用者のＩＤと結び付けられて登録されている。登録情報の蓄積に際しては、利用者の写真から顔領域を抽出し、抽出した顔領域の視覚的特徴に基づいて抽出したものを利用することができる。これには、照合手段１００３０を用いて、問い合わせ画像から特徴量を抽出するのと同じ方法で抽出することができるが、これ以外の方法を用いて抽出、蓄積しても構わない。
【００４５】
登録情報蓄積手段１００２０に登録される顔特徴量（生体情報）は、あらかじめ定めたただ一人の特定人物の顔特徴量（生体情報）であって、入力の問い合わせがあらかじめ指定した前記特定人物であるか否かを判定するというものであってもよい。或いは、登録情報蓄積手段１００２０に登録される顔特徴量（生体情報）は、複数の人物の顔特徴量（生体情報）が登録されてあって、入力の問い合わせに対して誰で該当するかを判定するというものであってもよい。ここでは、複数の人物の顔特徴量（生体情報）が登録されているとして説明する。
【００４６】
先ず、問い合わせ入力手段１００１０により、問い合わせ画像を入力する（ステップＳ１００１０）。
【００４７】
照合手段１００３０は、問い合わせ画像を解析し、画像照合のために入力画像から顔特徴量（生体情報）を抽出する（ステップＳ１００２０）。一例として、上記特許文献７に記載の方法を用いて行ってもよいが、これ以外の方法を用いてもよい。また、特徴量の抽出なく、直接画像を照合する場合には、本ステップはスキップしてもかまわない。この場合、登録情報にも画像が蓄積されていることになる。
【００４８】
照合手段１００３０は、登録情報蓄積手段１００２０に蓄積された、顔特徴量（生体情報）を次々と読み出し、上記問い合わせ画像中の顔特徴量との類似度を算出する（ステップＳ１００３０）。一例として、上記特許文献７に記載の方法を用いて行ってもよいが、これ以外の方法を用いてもよい。
【００４９】
人物判定手段１００４０は、上記照合手段１００３０が算出した各顔特徴量（生体情報）との類似度を受け取り、あらかじめ定めた閾値よりも類似度が高かったときに、対応する人物であると判定し、登録情報蓄積手段１００２０から、顔特徴量（生体情報）に付随する利用者ＩＤを抽出し出力する（ステップＳ１００４０）。
【００５０】
照合の結果、該当人物があったか否かを判定し該当人物がなかった場合には、問い合わせ入力を用いて辞書（１００２０）を更新することはないので、処理を終了する。該当人物があった場合に、該当する利用者ＩＤと該顔特徴量（生体情報）を問い合わせ履歴蓄積手段１００５０に蓄積する（ステップＳ１００５０）。
【００５１】
従って、蓄積手段（１００１０）は、認証を行う対象となる人物毎に問い合わせ生体情報を履歴蓄積手段（１００５０）に蓄積する。
【００５２】
履歴情報照合手段１００６０は、問い合わせ履歴蓄積手段１００５０に蓄積されている顔特徴量（生体情報）のうちで、人物判定手段１００４０にて問い合わせ画像に含まれる人物と判定された利用者ＩＤと同一の利用者ＩＤをもつ顔特徴量（生体情報）の中で、組み合わせ可能な顔特徴量（生体情報）の対を検出する（ステップＳ１００６０）。そして、履歴情報照合手段１００６０は、検出された顔特徴量（生体情報）の対の顔特徴量（生体情報）間の類似度を算出し（ステップＳ１００７０）、その算出した類似度があらかじめ定めた閾値より大きいか否かを判定する。算出した類似度が閾値以上であった場合、履歴情報照合手段１００６０は、その顔特徴量（生体情報）の対を類似度の高い顔特徴量の対として記憶する（ステップＳ１００８０）。
【００５３】
ここで、閾値は、照合手段１００３０で採用した閾値と同じ値でもよいし、異なる値でもよい。照合手段１００３０で採用した閾値より高い値を採用することにより、類似度が高いもののみが抽出されるため、更新の信頼度が増すという利点がある。ステップＳ１００６０〜Ｓ１００８０の処理を、すべての顔特徴量（生体情報）の対に対して実施する。
【００５４】
このように、作成手段（１００６０）は、対象人物毎に、履歴蓄積手段（１００５０）に蓄積された問い合わせ生体情報同士の類似度を測定して、生体情報の対毎の類似度を作成する。
【００５５】
更新可否判定手段１００７０は、履歴情報照合手段１００６０から類似する顔特徴量（生体情報）の対を記憶した結果を受け取り、更新を行うか否かを判定する（ステップＳ１００９０）。一例として、更新可否判定手段１００７０は、類似度が閾値より高かった対の数を算出し、あらかじめ定めた数より多かった場合に、類似する顔特徴量（生体情報）が多いとして、更新すると判定する。単に数で判定するだけでなく、顔特徴量（生体情報）の対の総数で正規化してもよい。
【００５６】
更新手段１００８０は、ステップＳ１００９０にて、更新判定が行われた場合に、登録情報蓄積手段１００２０に登録された登録情報を更新し（ステップＳ１０１００）、その後、処理を終了する。一例として、更新手段１００８０は、類似度が高いと判定された顔特徴量（生体情報）の対を構成する顔特徴量（生体情報）群の中から１つを採用して、登録情報蓄積手段１００２０に蓄積されている顔特徴量（生体情報）を置き換える。また、登録情報蓄積手段１００２０が複数の顔特徴量（生体情報）を蓄積している場合は、あらたに追加するという処理としてもよい。また、単に顔特徴量（生体情報）の中の1つを採用するのではなく、類似度が高いと判定された顔特徴量（生体情報）の対を構成する顔特徴量（生体情報）群の中で、対として選ばれたものが最も多いものを採用してもよい。さらには、更新手段１００８０は、１つの顔特徴量（生体情報）ではなく、複数の顔特徴量（生体情報）を追加するあるいは置き換えるとしてもよく、算術平均等の処理が可能であれば、顔特徴量（生体情報）の算術平均をもって更新としてもよい。
【００５７】
このように、更新部（１００７０，１００８０）は、類似する生体情報の対の総数があらかじめ定めた数以上であったときに、類似度が高いと判定された生体情報の対をなす少なくとも一つの生体情報を用いて、人物認証用辞書（１００２０）を更新する。
【００５８】
更新がないと判定された場合には、そのまま処理を終了する。
【００５９】
電子機器で第１の実施の形態に係る人物認証装置を構成する場合、人物認証装置は、プログラム制御により動作するコンピュータで実現可能である。図示はしないが、この種のコンピュータは、周知のように、データを入力する入力装置と、データ処理装置と、データ処理装置での処理結果を出力する出力装置と、種々のデータベースとして働く補助記憶装置とを備えている。そして、データ処理装置は、プログラムを記憶するリードオンリメモリ（ＲＯＭ）と、データを一時的に記憶するワークメモリとして使用されるランダムアクセスメモリ（ＲＡＭ）と、ＲＯＭに記憶されたプログラムに従って、ＲＡＭに記憶されているデータを処理する中央処理装置（ＣＰＵ）とから構成される。
【００６０】
この場合、入力装置が問い合わせ入力手段１００１０として働く。データ処理装置は、照合手段１００３０、人物判定手段１００４０、履歴情報照合手段１００６０、更新可否判定手段１００７０、および更新手段１００８０として動作する。そして、補助記憶装置が、登録情報蓄積手段１００２０および問い合わせ履歴蓄積手段１００５０として働く。
【００６１】
換言すれば、第１の実施の形態に係る人物認証装置の各部は、ハードウェアとソフトウェアとの組み合わせを用いて実現すればよい。ハードウェアとソフトウェアとを組み合わせた形態では、ＲＯＭに記憶された人物認証プログラムに基づいて制御部（ＣＰＵ）等のハードウェアを動作させることによって、各部を各種手段として実現する。また、該人物認証プログラムは、記録媒体に記録されて頒布されても良い。当該記録媒体に記録された人物認証プログラムは、有線、無線、又は記録媒体そのものを介して、メモリに読込まれ、制御部等を動作させる。尚、記録媒体を例示すれば、オプティカルディスクや磁気ディスク、半導体メモリ装置、ハードディスクなどが挙げられる。
【００６２】
上記第１の実施の形態を別の表現で説明すれば、人物認証装置として動作させる情報処理装置を、ＲＯＭに記憶された人物認証プログラムに基づき、照合手段１００３０、人物判定手段１００４０、履歴情報照合手段１００６０、更新可否判定手段１００７０、および更新手段１００８０として制御部（ＣＰＵ）を動作させることで実現することが可能である。
【００６３】
次に、本発明の第１の実施の形態に係る人物認証装置の効果について説明する。
【００６４】
問い合わせ画像として、特定期間内に問い合わせされた画像の中から、類似度が高いと判定された顔特徴量の対が一定数以上ある場合にのみ更新の行うことで、特定期間内で安定して観測された顔特徴量がある場合のみに、その顔特徴量を用いて更新をかけることができる。一時的な入力変動に伴う問い合わせ画像のブレや、短期的な対象の変化などの影響を除外することができ、加齢等の経年変化を含む中長期に観測される顔特徴量により画像を更新するという、発明の目的を達成することができる。また、短期的な対象の変化などの影響を除外することができるので、辞書情報の品質を保つことができるという、別の効果をえることもできる。
【００６５】
本発明を実施するための第１の実施の形態では、人物認証装置という立場から、照合手段１００３０および人物判定手段１００４０を配置した。しかしながら、登録情報蓄積手段１００２０に蓄積された辞書情報の更新という観点からは、照合手段１００３０および人物判定手段１００４０は必須ではなく、他の手段のみで成立することに注意されたい。
【００６６】
この場合、登録情報手段１００２０は、前述したように人物認証用辞書（１００２０）として動作するので、照合手段１００３０および人物判定手段１００４０の無い人物認証装置は、人物認証用辞書更新装置として動作する。
【００６７】
ハードウェアとソフトウェアとを組み合わせた形態では、ＲＯＭに記憶された人物認証用辞書更新プログラムに基づいて制御部（ＣＰＵ）等のハードウェアを動作させることによって、各部を各種手段として実現する。人物認証用辞書更新装置として動作させる情報処理装置を、ＲＯＭに記憶された人物認証用辞書更新プログラムに基づき、履歴情報照合手段１００６０、更新可否判定手段１００７０、および更新手段１００８０として制御部（ＣＰＵ）を動作させることで実現することが可能である。
【００６８】
また、該人物認証用辞書更新プログラムは、記録媒体に記録されて頒布されても良い。当該記録媒体に記録された人物認証プログラムは、有線、無線、又は記録媒体そのものを介して、メモリに読込まれ、制御部等を動作させる。尚、記録媒体を例示すれば、オプティカルディスクや磁気ディスク、半導体メモリ装置、ハードディスクなどが挙げられる。
【００６９】
次に、図３を用いて、本発明の第１の実施の形態に係る人物認証装置の動作例について、説明する。
【００７０】
ある人物を認証するために登録情報蓄積手段１００２０に保存されている顔特徴量（生体情報）を、第１乃至第３の顔特徴量（生体情報）５００１０、５００２０、５００３０とする。これらの顔特徴量（生体情報）は、それぞれ２００９年５月、２０１０年７月、２０１１年５月に、登録情報蓄積手段１００２０に辞書情報として取り込まれたとする。ここでは、説明を簡単にするために、画像表示しているが、実際には、顔特徴量（生体情報）を保存する形式でよい。蓄積された顔特徴量（生体情報）は、完全に一致しているわけではなく、撮影の環境や方向、表情などが異なっており、また、２００９年から２０１１年の間に起こった加齢等の経年変化も含んでいる。
【００７１】
その後に入力され、問い合わせ履歴蓄積手段１００５０に登録されている画像（生体情報）を、第１乃至第７の登録画像（生体情報）５０１１０、５０１２０、５０１３０、５０１４０、５０１５０、５０１６０、５０１７０とする。図３では、対象者はこの間に、体重が増加し顔の丸みが増したとしている。ただし、目の鼻、口の位置関係や、形などは類似しているため、辞書として蓄積されている第１乃至第３の顔特徴量（生体情報）５００１０、５００２０、５００３０のいずれかと類似しており、対象者であると判定できているとする。この際に、問い合わせ履歴蓄積手段１００５０の中では、入力時の状況により、さまざまなタイプの変動が含まれている。一例として、カメラが顔の下から撮影された（第４の登録画像５０１４０）、顔が右を向いてしまった（第５の登録画像５０１５０）、顔にペイントを施した（第６の登録画像５０１６０）、撮影時の照明が異なった（第７の登録画像５０１７０）などである。このほか、表情の違いなども含めて問い合わせ履歴にはさまざまなタイプの顔特徴量（生体情報）が蓄積される。
【００７２】
このような、変動のため登録情報蓄積手段１００２０との間の類似度では、対象者と認識できるが、より閾値を厳しくした問い合わせ画像内の顔特徴量（生体情報）の対をなす顔特徴量（生体情報）の類似度では、（５０１１０,５０１２０）、（５０１１０,５０１３０）、（５０１２０,５０１３０）の３対しか類似すると判定されたものがない。更新ための対の閾値を仮に「５」としたときに、現在３対しか類似する顔特徴量（生体情報）の対がないため、更新処理はおこらない。
【００７３】
ここであらたに、問い合わせ画像（生体情報）５０２００が入力されたとする。問い合わせ画像から抽出された顔特徴量（生体情報）は、方向、表情、照明などが比較的安定した状況で撮影されたもので、この結果、この入力問い合わせ画像５０２００は、第１乃至第３の登録画像５０１１０、５０１２０、５０１３０と類似する。この結果、問い合わせ履歴蓄積手段１００５０内で類似する顔特徴量（生体情報）の対が「３」から「６」に増加し、あらかじめ定めた更新のための顔特徴量（生体情報）の対の閾値「５」を超える。このため、更新手段１００８０は、閾値を超えた対の構成要素、第１乃至第３の登録画像５０１１０、５０１２０、５０１３０、入力問い合わせ画像５０２００のうちの一つまたは複数の顔特徴量（生体情報）を用いて登録情報蓄積手段（人物認証用辞書）１００２０の更新をかける。
【００７４】
一例として、更新手段１００８０は、もっとも古い時期に入力された第１の顔特徴量５００１０を入力問い合わせ画像５０２００で置き換えるという処理を行う。あるいは、更新手段１００８０は、入力問い合わせ画像５０２００と第１乃至第３の顔特徴量５００１０、５００２０、５００３０との類似度を測定し、もっとも類似度の高いものと置き換える、あるいは、もっとも類似度の低いものと置き換えるという方法でもよい。さらには、更新手段１００８０は、類似している（５０１１０、５０１２０、５０１３０、５０２００）と（５００１０、５００２０、５００３０）の類似度を測定し、平均の類似度を算出し、もっとも平均の類似度が高いもの、あるいはもっとも平均類似度が低いものと置き換えるという方法でもよい。更新の仕方に関しては個々で提示したものはあくまで一例にすぎず、新規採用特徴量を用いて既存特徴量を更新する際の一般的な方法が適用可能であることは明らかである。
【００７５】
このように、類似度の高い顔特徴量の対が一定の数を超えた場合のみに更新を行うことで、中長期的な特徴に基づく変動を反映した、安定した顔特徴量に基づいて更新を行うことができる。
【００７６】
問い合わせ履歴蓄積手段１００５０に蓄積される画像を一定にする、すなわち、新規の顔特徴量（ここでは、５０２００）が入力された際に、もっとも古くに入力された顔特徴量（ここでは仮に、第４の登録画像５０１４０）を問い合わせ履歴蓄積手段１００５０から消去するということを行うと、特定期間で一定の安定した特徴が得られた場合のみに登録情報蓄積手段（人物認証用辞書）１００２０の更新を行うことができる。
【００７７】
図４は、問い合わせ履歴蓄積手段１００５０内での類似する顔特徴量（生体情報）の対の判定のバリエーションを模式的に説明した図である。
【００７８】
図４では、類似度の高い顔特徴量（生体情報）の対により、（１、２）と（３、５）（４、５）（５、６）（６、７）の二つのグループが構成されている。この場合、類似度の高い顔特徴量（生体情報）の対の数を、グループ（１、２）の対の総数１と、グループ（３、５）（４、５）（５、６）（６、７）の対の総数４の総和として「５」と定義してもよい（ケース１とする）。又は、類似度の高い顔特徴量の対の数を、類似度の高い顔特徴量（生体情報）の対のグループのうち最大の数を採用して、「４」としてもよい（ケース２とする）。
【００７９】
新規に入力した問い合わせ画像１０が、２及び５と類似した場合、ケース１、ケース２どちらの場合でも、類似度の高い顔特徴量（生体情報）の対は、「７」になる。ケース１の場合、総和をとるので、いくつかの入力パターンが存在した場合に類似度の高い顔特徴量の対の総数が多くなる。これに対して、ケース２では、いくつかの入力パターンが存在しても、類似する顔特徴量（生体情報）の対の数が多くならないという特徴がある。更新したいケースに応じて、システム管理者等の実行者が、類似度の高い顔特徴量（生体情報）の対の数を設定することができる。
【００８０】
従って、ケース２を採用した場合、更新部（１００７０，１００８０）は、類似する生体情報の対により相互に隣接する生体情報の最大値があらかじめ定めた数以上であったときに、上記相互に隣接する生体情報の最大値を与える生体情報のうち少なくとも一つの生体情報を用いて、人物認証用辞書（１００２０）を更新する。
【００８１】
図５は、問い合わせ履歴蓄積手段１００５０内での更新に用いる顔特徴量（生体情報）の選択方法に関して模式的に説明した図である。
【００８２】
図５において、更新に用いる画像を１枚選ぶ場合に、３、４、５、６、９のいずれかから選択することができる。１から９までの順で問い合わせがなされたとき、１枚を選ぶ方法として、
一番古くに問い合わせをされた顔特徴量  ３
一番新しく問い合わせをされた顔特徴量  ９
もっとも類似度の対に関与している顔特徴量  ５
といった選び方がある。また、このほかに、任意に選択する方法や、対の中でもっとも類似度が高い対のいずれかの顔特徴量（生体情報）など、各種の方法が考えられる。
【００８３】
［第２の実施の形態］
次に、本発明を実施するための第２の実施の形態について図面を参照して説明する。
【００８４】
図６を参照すると、本発明の第２の実施の形態に係る人物認証装置は、問い合わせ入力手段２００１０と、登録情報蓄積手段２００２０と、特徴量抽出手段２００９０と、照合手段２００３０と、人物判定手段２００４０と、問い合わせ履歴蓄積手段２００５０と、履歴蓄積判定手段２０１００と、問い合わせ履歴更新手段２０１１０と、履歴情報照合手段２００６０と、更新可否判定手段２００７０と、更新可否利用者確認手段２０１２０と、更新手段２００８０とよりなる。  問い合わせ入力手段２００１０は、認識（認証）のために人物の生体情報を入力する。登録情報蓄積手段（人物認証用辞書）２００２０は、あらかじめ認識対象となる人物の生体情報の特徴量を登録情報として保存する。特徴量抽出手段２００９０は、問い合わせ入力手段２００１０により入力された問い合わせ入力中に含まれる対象物の特徴量（生体情報）を抽出する。照合手段２００３０は、特徴量抽出手段２００９０より入力された生体情報の特徴量と、登録情報蓄積手段（人物認証用辞書）２００２０に保持されている生体情報の特徴量の類似度を計算し、照合を行う。人物判定手段２００４０は、照合手段２００３０の算出する類似度に基づき、対象人物を特定する。問い合わせ履歴蓄積手段２００５０は、問い合わせ入力履歴の生体情報の特徴量を蓄積する。履歴蓄積判定手段２０１００は、照合手段２００３０の照合結果に基づいて、問い合わせ入力の特徴量を蓄積するかどうか判定する。問い合わせ履歴更新手段２０１１０は、履歴蓄積判定手段２０１００の結果に基づき、問い合わせ履歴蓄積手段２００５０に蓄積された問い合わせ履歴を更新する。履歴情報照合手段２００６０は、問い合わせ履歴蓄積手段２００５０に保持される生体情報間の類似度を計算する。更新可否判定手段２００７０は、履歴情報照合手段２００６０の照合結果に基づき更新可否を判定する。更新可否利用者確認手段２０１２０は、更新可否判定の際に、利用者の判定結果を入力する。更新手段２００８０は、更新可否判定手段２００７０の判定結果に基づき、登録情報蓄積手段２００２０に保持される登録情報を更新する。
【００８５】
図６では、問い合わせ入力手段２００１０、登録情報蓄積手段２００２０、照合手段２００３０、人物判定手段２００４０、問い合わせ履歴蓄積手段２００５０、履歴情報照合手段２００６０、更新可否判定手段２００７０、および更新手段２００８０は、それぞれ図１における、問い合わせ入力手段１００１０、登録情報蓄積手段１００２０、照合手段１００３０、人物判定手段１００４０、問い合わせ履歴蓄積手段１００５０、履歴情報照合手段１００６０、更新可否判定手段１００７０、および更新手段１００８０と、同一あるいはほとんど同一の構成で実現できるため、それらの説明を割愛する。
【００８６】
特徴量抽出手段２００９０は、問い合わせ入力手段２００１０により入力された問い合わせ入力中に含まれる人物に関連する生体情報を検出し、検出した生体情報から特徴量を抽出する。一例として、特徴量抽出手段２００９０は、あらかじめ定められたルールにて動作するプログラムを搭載したＣＰＵからなる。入力が画像で、特徴量が顔特徴量である場合、特徴量抽出手段２００９０は、前述した特許文献７に記載の方法を用いて行ってもよい。指紋、虹彩、音声などさまざまな抽出方法が提案、世の中に広く知られているので、特徴量抽出手段２００９０は、これらの方法をプログラムとして記述し、動作するＣＰＵという形態や、それを回路で実現したものなどが考えられる。
【００８７】
履歴蓄積判定手段２０１００は、照合手段２００３０の照合結果に基づいて、問い合わせ入力の特徴量を蓄積するかどうかを判定する。一例として、履歴蓄積判定手段２０１００は、あらかじめ定められたルールにて動作するプログラムを搭載したＣＰＵからなる。履歴蓄積判定を行うために、履歴蓄積判定手段２０１００は、過去の照合結果を一時的にためておく、メモリ等の記憶手段や環境を判定するためのセンサーなどを同時に有しておくこともできる。
【００８８】
問い合わせ履歴更新手段２０１１０は、履歴蓄積判定手段２０１００の結果に基づき、問い合わせ履歴蓄積手段２００５０に蓄積された問い合わせ履歴を更新する。一例として、問い合わせ履歴更新手段２０１１０は、あらかじめ定められたルールにて動作するプログラムを搭載したＣＰＵからなる。
【００８９】
従って、問い合わせ入力手段２００１０と特徴量抽出手段２００９０と履歴蓄積判定手段２０１００と問い合わせ履歴更新手段２０１１０との組み合わせは、照合手段（２００３０）において算出された受け付けた問い合わせ生体情報の類似度が所定の類似度より高いと判定された場合に、上記受け付けた問い合わせ生体情報を対応する人物の問い合わせ生体情報として履歴蓄積手段（２００５０）に蓄積する蓄積手段（２００１０，２００９０，２０１００，２０１１０）として働く。
【００９０】
更新可否利用者確認手段２０１２０は、更新可否判定の際に、利用者の判定結果を入力する。一例として、更新可否利用者確認手段２０１２０は、更新可否判定の第一の結果を表示するディスプレイと、キーボードやマウスといった入力手段を備えた端末で実現可能である。
【００９１】
すなわち、更新可否利用者確認手段２０１２０は、更新に用いる問い合わせ生体情報が選択された際に、利用者または管理者に対して更新の有無の確認を行う確認手段（２０１２０）として動作する。
【００９２】
次に図６及び図７のフローチャートを参照して、本発明の第２の実施の形態に係る人物認証装置の全体の動作例について説明する。
【００９３】
本発明の第２の実施の形態に係る人物認証装置の動作例の説明でも、上述した第１の実施の形態のときの説明と同様に、入力がビデオ、カメラ等の画像であり生体情報が顔特徴情報であるとして説明する。しかしながら、本発明の第２の実施の形態に係る人物認証装置は、入力からの生体情報抽出が実行でき、蓄積された生体情報間で類似度または一致度が算出できれば同様のフローで実現可能である。たとえば、指紋画像、虹彩情報、掌形画像、指画像、音声情報といった生体情報にもそのまま適用することが可能であることは明らかである。
【００９４】
登録情報蓄積手段（人物認証用辞書）２００２０には、あらかじめ利用者のＩＤと事前に抽出された顔特徴量が結び付けられて登録されている。登録情報の蓄積に際しては、利用者の写真から顔領域を検出し、検出された顔領域の視覚的特徴に基づいて抽出したものを顔特徴量として利用することができる。これは、特徴量抽出手段２００９０を用いて、問い合わせ画像から特徴量を抽出するのと同じ方法で抽出することができるが、これ以外の方法を用いて抽出、蓄積しても構わない。
【００９５】
登録情報蓄積手段（人物認証用辞書）２００２０に登録される顔特徴量（生体情報）は、あらかじめ定めたただ一人の特定人物の顔特徴量（生体情報）であって、入力の問い合わせがあらかじめ指定した前記特定人物であるか否かを判定するというものであってもよい。或いは、登録情報蓄積手段（人物認証用辞書）２００２０に登録される顔特徴量（生体情報）は、複数の人物の顔特徴量（生体情報）が登録されてあって、入力の問い合わせに対して誰で該当するかを判定するというものであってもよい。前者の場合、例えば個人所有の携帯電話や金庫などの開錠に利用される可能性があり、後者の場合であれば特定の建造物への入退場管理などに応用できる。また、利用者のＩＤ以外に利用者の住所、氏名、年齢、年収などの他の属性情報を合わせて保存しておき、必要に応じて照合された人物の属性情報を出力できるようになっていても構わない。今回は、複数の人物の顔特徴量（生体情報）が登録されているとして説明する。
【００９６】
先ず、問い合わせ入力手段２００１０により、問い合わせ画像を入力する（ステップＳ２００１０）。
【００９７】
次に、特徴量抽出手段２００２０は、問い合わせ画像を解析し、画像照合のために入力画像から顔特徴量を抽出する（ステップＳ１００２０）。一例として、前述した特許文献７に記載の方法を用いて行ってもよいが、これ以外の方法を用いてもよい。画像中から人物を検出する方法は、顔検出技術として広く知られており、人物検出に際してはこれらのなかのいずれか適当な方法を採用する。特徴量の広義の考え方として、画像情報をそのまま利用するということも可能である。その場合、ステップＳ２００２０の処理は、領域の抽出のみ、または、検出の有無の確認のみとなる。
【００９８】
照合手段２００３０は、登録情報蓄積手段（人物認証用辞書）２００２０に蓄積された、顔特徴量（生体情報）を次々と読み出し、特徴量抽出手段２００９０が抽出した問い合わせ画像中の顔特徴量（生体情報）との類似度を算出する（ステップＳ２００３０）。一例として、前述した特許文献７に記載の方法を用いて行ってもよいが、これ以外の方法を用いてもよい。
【００９９】
人物判定手段２００４０は、照合手段２００３０が算出した各顔特徴量（生体情報）との類似度を受け取り、あらかじめ定めた閾値よりも類似度が高かったときに、対応する人物であると判定する（ステップＳ２００４０）。そして、人物判定手段２００４０は、対応人物が認証された場合に、登録情報蓄積手段（人物認証用辞書）２００２０から、顔特徴量（生体情報）に付随する利用者ＩＤや属性情報を読み出して出力する（ステップＳ２００４５）。人物判定手段２００４０は、ＩＤや属性情報の出力に加えて、装置の開錠や入室処理など付随する処理を行ってもよい。
【０１００】
照合の結果、該当人物があったか否かを判定し、該当人物がなかった場合には、問い合わせ入力を用いて辞書２００２０を更新することはないので、処理を終了する。
【０１０１】
履歴蓄積判定手段２０１００は、照合手段２００３０の照合結果に基づいて、照合処理により特定された人物に関して、問い合わせ入力の特徴量を蓄積するかどうか判定する（ステップＳ２００４７）。履歴蓄積判定手段２０１００は、照合処理に基づき人物特定を行ったが、登録情報蓄積手段２００２０に蓄積されている属性情報、例えばＩＤや名前などの入力によって入力された人物が特定されている場合であれば、照合処理の結果に基づくことなく更新を行ってもよい。
【０１０２】
問い合わせ入力の特徴量を蓄積するかどうかの判定の基準として、様々な方法が考えられる。図８はその一例を模式的に示したものである。登録情報蓄積手段（人物認証用辞書）２００２０中に該人物の顔特徴量（生体情報）が４種類 （９００１０、９００２０、９００３０、９００４０） 蓄積されているとする。ここでは、これら４種類の顔特徴量（生体情報）を、第１乃至第４の顔特徴量（生体情報）９００１０、９００２０、９００３０、９００４０と呼ぶことにする。一般に顔特徴量（生体情報）は画像から抽出した記号であり、図示することは困難であるが、説明のため模式的に図に示してある。ここでは、顔特徴量（生体情報）が４種類蓄積されているとしているが実際には１種類であっても、１０種類以上であってもよい。
【０１０３】
問い合わせ画像から抽出した顔特徴量９０１００と、第１乃至第４の顔特徴量９００１０、９００２０、９００３０、９００４０との類似度が、それぞれ「０．６１」、「０．５１」、「０．６０」、「０．７１」であったとする。該人物と認証するための閾値が「０．６」であったとすると、第１、第３、および第４の顔特徴量９００１０、９００３０、９００４０が条件を満たしている。したがって、図８の照合結果は認証成功となる。
【０１０４】
この際に、抽出した顔特徴量９０１００を問い合わせ履歴蓄積手段２００５０に蓄積するか否かの判定として、第１乃至第４の顔特徴量９００１０、９００２０、９００３０、９００４０との照合スコアを利用して実現することができる。一例として、照合結果のうちのすくなくとも1つが判定閾値「０．６」をしたまわっていた場合に、第２の顔特徴量９００２０は辞書として不適当である可能性があることから、該問い合わせ顔特徴量が一時的なものでなく、中長期的な特徴であるならば辞書を更新する必要があるとして、中長期性の確認のために履歴に追加するというように定めてもよい。また、すべての顔特徴量との類似度があらかじめ定めた高めの閾値「０．８０」を下回っている場合に、問い合わせ入力と完全に適合するものがないということで履歴に追加するというように定めても良い。
【０１０５】
この場合、蓄積手段（２００１０，２００９０，２０１００，２０１１０）は、照合手段（２００３０）において算出された受け付けた問い合わせ生体情報の類似度が、あらかじめ定めた第１の類似度より高く、あらかじめ定めた第２の類似度より低かった場合に、上記受け付けた問い合わせ生体情報を対応する人物の生体情報として履歴蓄積手段（２００５０）に蓄積する。
【０１０６】
図９に判定の基準の一例を示した。これらの組み合わせであってもよいし、別の尺度を追加、利用しても構わない。全てを履歴に追加するという設定や、入力画像そのものの大きさ、画質の評価結果を利用してもよい。
【０１０７】
図６および図７に戻って、問い合わせ履歴更新手段２０１１０は、履歴蓄積判定手段２０１００の結果に基づき、問い合わせ履歴蓄積手段２００５０に蓄積された問い合わせ履歴情報（生体情報）を更新する（ステップＳ２００５０）。更新は、単に新規に顔特徴量（生体情報）を追加するとしてよい。また別の方法として、一枚登録する代わりに、最も古い顔特徴量（生体情報）を一枚消去して、履歴の総数を一定に保ってもよい。また、更新に際して、問い合わせ履歴更新手段２０１１０は、一定期間より以前に登録された履歴顔特徴量（生体情報）を一斉に消去して、比較的最近に登録された履歴顔特徴量（生体情報）のみを保持するという形にしてもよい。
【０１０８】
履歴情報照合手段２００６０は、問い合わせ履歴蓄積手段２００５０に蓄積されている顔特徴量（生体情報）のうちで、人物判定手段２００４０にて問い合わせ画像に含まれる人物と判定された利用者ＩＤと同一の利用者ＩＤをもつ顔特徴量（生体情報）の中で、組み合わせ可能な顔特徴量（生体情報）の対を抽出する（ステップＳ２００６０）。そして、履歴情報照合手段２００６０は、検出された顔特徴量（生体情報）の対をなす顔特徴量（生体情報）の類似度を算出し（ステップＳ２００７０）、算出した類似度があらかじめ定めた閾値より大きいか否かを判定する。閾値以上であった場合、履歴情報照合手段２００６０は、その顔特徴量（生体情報）の対を類似する顔特徴量対として記憶する（ステップＳ２００８０）。閾値は、照合手段２００３０で採用した閾値と同じ値でもよいし、異なる値でもよい。照合手段２００３０で採用した閾値より高い値を採用することにより、類似度が高いもののみが抽出されるため、類似ペアが検出されにくいという不利益はあるものの、更新の信頼度が増すという利点がある。ステップＳ２００６０〜Ｓ２００８０の処理を、すべての顔特徴量（生体情報）の対に対して実施する。
【０１０９】
更新可否判定手段２００７０は、履歴情報照合手段２００６０から相互に類似する顔特徴量（生体情報）の対の結果を受け取り、更新を行うか否かを判定する（ステップＳ２００９０）。一例として、更新可否判定手段２００７０は、類似度が閾値より高い対の数を算出し、あらかじめ定めた数より多かった場合に、更新すると判定する。単に総和で判定するだけでなく、顔特徴量（生体情報）の対の総数で正規化してもよい。
【０１１０】
更新可否利用者確認手段２０１２０は、ステップＳ２００９０にて、更新判定が行われた場合に、利用者またはシステム管理者に確認問い合わせを行う（ステップＳ２００９５）。更新確認のステップＳ２００９５は常に行う必要はなく、必要に応じて選択的に実施しても構わない。処理をスキップする場合は、ステップＳ２０１００に直接すすむ。
【０１１１】
更新手段２００８０は、ステップＳ２００９５にて利用者またはシステム管理者の確認がとれた場合に、登録情報蓄積手段（人物認証用辞書）２００２０に登録された登録情報を更新し（ステップＳ２０１００）、その後、処理を終了する。
【０１１２】
一例として、更新手段２００８０は、類似すると判定された顔特徴量（生体情報）の対を構成する顔特徴量（生体情報）の中から１つを採用して、登録情報蓄積手段（人物認証用辞書）２００２０に蓄積されている顔特徴量（生体情報）を置き換える。また、登録情報蓄積手段（人物認証用辞書）２００２０が複数の顔特徴量（生体情報）を蓄積している場合は、更新手段２００８０は、あらたに追加するという処理としてもよい。また、更新手段２００８０は、単に顔特徴量（生体情報）の中の1つを採用するのではなく、類似する顔特徴量（生体情報）の対が構成する顔特徴量（生体情報）群の中で、対として選ばれたものが最も多いものを採用してもよい。さらには、更新手段２００８０は、1つではなく、複数の顔特徴量（生体情報）を追加するあるいは置き換えるとしてもよく、算術平均等の処理が可能であれば、顔特徴量（生体情報）の算術平均をもって更新としてもよい。
【０１１３】
更新がないと判定された場合には、そのまま処理を終了する。
【０１１４】
電子機器で第２の実施の形態に係る人物認証装置を構成する場合、人物認証装置は、プログラム制御により動作するコンピュータで実現可能である。図示はしないが、この種のコンピュータは、周知のように、データを入力する入力装置と、データ処理装置と、データ処理装置での処理結果を出力する出力装置と、種々のデータベースとして働く補助記憶装置とを備えている。そして、データ処理装置は、プログラムを記憶するリードオンリメモリ（ＲＯＭ）と、データを一時的に記憶するワークメモリとして使用されるランダムアクセスメモリ（ＲＡＭ）と、ＲＯＭに記憶されたプログラムに従って、ＲＡＭに記憶されているデータを処理する中央処理装置（ＣＰＵ）とから構成される。
【０１１５】
この場合、入力装置が、問い合わせ入力手段２００１０および更新可否利用者確認手段２０１２０として働く。データ処理装置は、特徴量抽出手段２００９０、照合手段２００３０、人物判定手段２００４０、履歴蓄積判定手段２０１００、問い合わせ履歴更新手段２０１１０、履歴情報照合手段２００６０、更新可否判定手段２００７０、および更新手段２００８０として動作する。そして、補助記憶装置が、登録情報蓄積手段（人物認証用辞書）２００２０および問い合わせ履歴蓄積手段２００５０として働く。
【０１１６】
換言すれば、第２の実施の形態に係る人物認証装置の各部は、ハードウェアとソフトウェアとの組み合わせを用いて実現すればよい。ハードウェアとソフトウェアとを組み合わせた形態では、ＲＯＭに記憶された人物認証プログラムに基づいて制御部（ＣＰＵ）等のハードウェアを動作させることによって、各部を各種手段として実現する。また、該人物認証プログラムは、記録媒体に記録されて頒布されても良い。当該記録媒体に記録された人物認証プログラムは、有線、無線、又は記録媒体そのものを介して、メモリに読込まれ、制御部等を動作させる。尚、記録媒体を例示すれば、オプティカルディスクや磁気ディスク、半導体メモリ装置、ハードディスクなどが挙げられる。
【０１１７】
上記第２の実施の形態を別の表現で説明すれば、人物認証装置として動作させる情報処理装置を、ＲＯＭに記憶された人物認証プログラムに基づき、特徴量抽出手段２００９０、照合手段２００３０、人物判定手段２００４０、履歴蓄積判定手段２０１００、問い合わせ履歴更新手段２０１１０、履歴情報照合手段２００６０、更新可否判定手段２００７０、および更新手段２００８０として制御部（ＣＰＵ）を動作させることで実現することが可能である。
【０１１８】
次に、本発明の第２の実施の形態に係る人物認証装置の効果について説明する。
【０１１９】
問い合わせ画像として、特定期間内に問い合わせされた画像の中から、類似する顔画像の対が一定数以上ある場合のみ更新の行うことで、特定期間内で安定して観測された顔特徴量（生体情報）がある場合のみに、その顔特徴量（生体情報）を用いて更新をかけることができる。一時的な入力変動に伴う問い合わせ画像のブレや、短期的な対象の変化などの影響を除外することができ、加齢等の経年変化を含む中長期に観測される顔特徴量（生体情報）により画像を更新するという、発明の目的を達成することができる。また、短期的な対象の変化などの影響を除外することができるので、辞書情報の品質を保つことができるという、別の効果をえることもできる。
【０１２０】
本発明を実施するための第２の実施の形態では、人物認証装置という立場から、人物判定手段２００４０を配置した。しかしながら、登録情報蓄積手段（人物認証用辞書）２００２０に蓄積された辞書情報の更新という観点からは、人物判定手段２００４０は必須ではなく、他の手段のみで成立することに注意されたい。
【０１２１】
この場合、登録情報手段２００２０は、前述したように人物認証用辞書として動作するので、人物判定手段２００４０の無い人物認証装置は、人物認証用辞書更新装置として動作する。
【０１２２】
ハードウェアとソフトウェアとを組み合わせた形態では、ＲＯＭに記憶された人物認証用辞書更新プログラムに基づいて制御部（ＣＰＵ）等のハードウェアを動作させることによって、各部を各種手段として実現する。人物認証用辞書更新装置として動作させる情報処理装置を、ＲＯＭに記憶された人物認証用辞書更新プログラムに基づき、特徴量抽出手段２００９０、照合手段２００３０、履歴蓄積判定手段２０１００、問い合わせ履歴更新手段２０１１０、履歴情報照合手段２００６０、更新可否判定手段２００７０、および更新手段２００８０として制御部（ＣＰＵ）を動作させることで実現することが可能である。
【０１２３】
また、該人物認証用辞書更新プログラムは、記録媒体に記録されて頒布されても良い。当該記録媒体に記録された人物認証プログラムは、有線、無線、又は記録媒体そのものを介して、メモリに読込まれ、制御部等を動作させる。尚、記録媒体を例示すれば、オプティカルディスクや磁気ディスク、半導体メモリ装置、ハードディスクなどが挙げられる。
【０１２４】
［第３の実施の形態］
次に、本発明を実施するための第３の実施の形態について図面を参照して説明する。
【０１２５】
図１０を参照すると、本発明の第３の実施の形態に係る人物認証システムは、問い合わせ入力手段３０１１０、結果表示手段３０１２０、更新可否利用者確認手段３０１３０、および通信手段３０１４０を有した端末３０１００と、通信手段３０３００、制御手段３０４００、および蓄積手段３０５００を有したサーバとにより構成される。
【０１２６】
制御手段３０４００は、特徴量抽出手段３０４１０、履歴蓄積判定手段３０４２０、問い合わせ履歴更新手段３０４３０、更新可否判定手段３０４４０、照合手段３０４５０、人物判定手段３０４６０、履歴情報照合手段３０４７０、および更新手段３０４８０から構成される。
【０１２７】
蓄積手段３０５００は、登録情報蓄積手段（人物認証用辞書）３０５１０と問い合わせ履歴蓄積手段３０５２０とから構成される。
【０１２８】
端末３０１００は、一例として写真撮影機能を有した携帯電話、スマートフォン等の携帯端末である。
【０１２９】
サーバは、一例としてネットワークに接続可能なＰＣ、ワークステーションなどである。
【０１３０】
問い合わせ入力手段３０１１０、更新可否利用者確認手段３０１３０は、それぞれ、図６に示した問い合わせ入力手段２００１０、更新可否利用者確認手段２０１２０と同一の構成で実現できるため、それらの説明を割愛する。
【０１３１】
また、特徴量抽出手段３０４１０、履歴蓄積判定手段３０４２０、問い合わせ履歴更新手段３０４３０、更新可否判定手段３０４４０、照合手段３０４５０、人物判定手段３０４６０、履歴情報照合手段３０４７０、および更新手段３０４８０は、それぞれ、図６に図示した、特徴量抽出手段２００９０、履歴蓄積判定手段２０１００、問い合わせ履歴更新手段２０１１０、更新可否判定手段２００７０、照合手段２００３０、人物判定手段２００４０、履歴情報照合手段２００６０、および更新手段２００８０と同一の構成で実現出来るため、それらの説明を割愛する。
【０１３２】
結果表示手段３０１２０は、照合結果を表示する。一例として、結果表示手段３０１２０は、携帯端末のディスプレイからなる。結果であるため、視覚的な表示機器ではなく、アラーム等の音声出力機器や振動その他の出力デバイスを用いてもよい。
【０１３３】
通信手段３０３００、３０１４０は、端末３０１００とサーバとの通信をやり取りする。一例として、通信手段３０３００、３０１４０は、ネットワークを介した通信を行う専用ボードなどがあげられる。
【０１３４】
図１０では特徴量抽出等の処理をサーバに配置する構成をとったが、端末側に蓄積手段、制御手段を有する構成として、一部の機能を端末側に配置する構成をとることもできる。
【０１３５】
図１１は、第３の実施の形態に係る人物認証システムの利用例を示す図である。無線ネットワークを通じて、利用者がそれぞれ問い合わせ入力を行い、それに応じてサーバ側が照合処理を行い、利用者に対して判定結果を送付する。サーバでは利用者毎に、問い合わせ履歴情報を問い合わせ履歴蓄積手段３０５２０に保存し、利用者からの問い合わせにしたがって登録情報蓄積手段（人物認証用辞書）３０５１０に蓄積された該利用者の登録情報を更新する。
【０１３６】
なお、上述の各実施の形態において、実施の形態の処理は、プログラム、ソフトウェア、又はコンピュータによって実行されることが可能な命令でコード化された、コンピュータ読み取り可能な記憶媒体に格納された情報を、コンピュータにインストールすることによって実行されてもよい。記憶媒体には、光ディスク、フロッピー（登録商標）ディスク、ハードディスク等の可搬型の記録媒体が含まれることはもとより、ネットワークのようにデータを一時的に記録保持するような伝送媒体も含まれる。
【０１３７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１３８】
上記の実施形態の一部又は全部は、以下の付記のようにも記載されうるが、以下には限られない。
【０１３９】
（付記１）  認識対象となる人物の生体情報を保存する人物認証用辞書を更新する方法であって、
所定の期間内に受け付けた、問い合わせ生体情報を履歴蓄積手段に蓄積する蓄積工程と、
前記蓄積された問い合わせ生体情報同士の類似度を測定して、生体情報の対毎の類似度を作成する作成工程と、
類似度が高いと判定された生体情報の対に基づき、前記人物認証用辞書を更新する更新工程と、
を含むことを特徴とする人物認証用辞書更新方法。
【０１４０】
（付記２）  前記更新工程は、類似する生体情報の対の総数があらかじめ定めた数以上であったときに、前記類似度が高いと判定された生体情報の対をなす少なくとも一つの生体情報を用いて、前記人物認証用辞書を更新する、
ことを特徴とする付記１に記載の人物認証用辞書更新方法。
【０１４１】
（付記３）  前記更新工程は、類似する生体情報の対により相互に隣接する生体情報の最大値があらかじめ定めた数以上であったときに、前記相互に隣接する生体情報の最大値を与える生体情報群のうち少なくとも一つの生体情報を用いて、前記人物認証用辞書を更新する、
ことを特徴とする付記１に記載の人物認証用辞書更新方法。
【０１４２】
（付記４）  前記蓄積工程は、認証を行う対象となる人物毎に問い合わせ生体情報を前記履歴蓄積手段に蓄積し、
前記作成工程は、前記対象人物毎に、前記蓄積された問い合わせ生体情報同士の類似度を測定して、前記生体情報の対毎の類似度を作成する、
ことを特徴とする付記１乃至３のいずれか一項に記載の人物認証用辞書更新方法。
【０１４３】
（付記５）  受け付けた問い合わせ生体情報と前記人物認証用辞書とを照合する照合工程を含み、
前記蓄積工程は、前記照合工程において算出された前記受け付けた問い合わせ生体情報の類似度が所定の類似度より高いと判定された場合に、前記受け付けた問い合わせ生体情報を対応する人物の問い合わせ生体情報として前記履歴蓄積手段に蓄積する、
ことを特徴とする付記４に記載の人物認証用辞書更新方法。
【０１４４】
（付記６）  受け付けた問い合わせ生体情報と前記人物認証用辞書とを照合する照合工程を含み、
前記蓄積工程は、前記照合工程において算出された前記受け付けた問い合わせ生体情報の類似度が、あらかじめ定めた第１の類似度より高く、あらかじめ定めた第２の類似度より低かった場合に、前記受け付けた問い合わせ生体情報を対応する人物の問い合わせ生体情報として前記履歴蓄積手段に蓄積する、
ことを特徴とする付記４に記載の人物認証用辞書更新方法。
【０１４５】
（付記７）  前記蓄積工程は、問い合わせ生体情報と前記人物認証用辞書との照合以外の方法で、対象人物が特定される場合には、前記問い合わせ生体情報を対応する人物の問い合わせ用生体情報として前記履歴蓄積手段に蓄積する、
ことを特徴とする付記４乃至６いずれか一項に記載の人物認証用辞書更新方法。
【０１４６】
（付記８）  前記蓄積工程は、前記問い合わせ生体情報として、生体情報から抽出した特徴量を前記履歴蓄積手段に蓄積する、
ことを特徴とする付記１乃至７のいずれか一項に記載の人物認証用辞書更新方法。
【０１４７】
（付記９）  前記更新に用いる問い合わせ生体情報が選択された際に、利用者または管理者に対して更新の有無の確認を行う確認工程を更に含み、
前記更新工程は、前記確認工程にて更新指示が出た際に更新を行う、
ことを特徴とする付記１乃至８のいずれか一項に記載の人物認証用辞書更新方法。
【０１４８】
（付記１０）  前記人物の生体情報は、顔画像、指紋画像、虹彩情報、掌形画像、指画像、音声情報のうち少なくともいずれか１つであることを特徴とする
付記１乃至９のいずれか一項に記載の人物認証用辞書更新方法。
【０１４９】
（付記１１）  認識対象となる人物の生体情報を保存する人物認証用辞書を更新する人物認証用辞書更新装置であって、
所定の期間内に受け付けた、問い合わせ生体情報を蓄積する履歴蓄積手段と、
前記蓄積された問い合わせ生体情報同士の類似度を測定して、生体情報の対毎の類似度を作成する作成手段と、
類似度が高いと判定された生体情報の対に基づき、前記人物認証用辞書を更新する更新部と、
を備えたことを特徴とする人物認証用辞書更新装置。
【０１５０】
（付記１２）  前記更新部は、類似する生体情報の対の総数があらかじめ定めた数以上であったときに、前記類似度が高いと判定された生体情報の対をなす少なくとも一つの生体情報を用いて、前記人物認証用辞書を更新する、
ことを特徴とする付記１１に記載の人物認証用辞書更新装置。
【０１５１】
（付記１３）  前記更新部は、類似する生体情報の対により相互に隣接する生体情報の最大値があらかじめ定めた数以上であったときに、前記相互に隣接する生体情報の最大値を与える生体情報群のうち少なくとも一つの生体情報を用いて、前記人物認証用辞書を更新する、
ことを特徴とする付記１１に記載の人物認証用辞書更新装置。
【０１５２】
（付記１４）  前記履歴蓄積手段は、認証を行う対象となる人物毎に問い合わせ生体情報を蓄積し、
前記作成手段は、前記対象人物毎に、前記蓄積された問い合わせ生体情報同士の類似度を測定して、前記生体情報の対毎の類似度を作成する、
ことを特徴とする付記１１乃至１３のいずれか一項に記載の人物認証用辞書更新装置。
【０１５３】
（付記１５）  受け付けた問い合わせ生体情報と前記人物認証用辞書とを照合する照合手段を含み、
前記履歴蓄積手段は、前記照合手段において算出された前記受け付けた問い合わせ生体情報の類似度が所定の類似度より高いと判定された場合に、前記受け付けた問い合わせ生体情報を対応する人物の問い合わせ生体情報として蓄積する、
ことを特徴とする付記１４に記載の人物認証用辞書更新装置。
【０１５４】
（付記１６）  受け付けた問い合わせ生体情報と前記人物認証用辞書とを照合する照合手段を含み、
前記履歴蓄積手段は、前記照合手段において算出された前記受け付けた問い合わせ生体情報の類似度が、あらかじめ定めた第１の類似度より高く、あらかじめ定めた第２の類似度より低かった場合に、前記受け付けた問い合わせ生体情報を対応する人物の問い合わせ生体情報として蓄積する、
ことを特徴とする付記１４に記載の人物認証用辞書更新装置。
【０１５５】
（付記１７）  前記履歴蓄積手段は、問い合わせ生体情報と前記人物認証用辞書との照合以外の方法で、対象人物が特定される場合には、前記問い合わせ生体情報を対応する人物の問い合わせ用生体情報として蓄積する、
ことを特徴とする付記１４乃至１６いずれか一項に記載の人物認証用辞書更新装置。
【０１５６】
（付記１８）  前記履歴蓄積手段は、前記問い合わせ生体情報として、生体情報から抽出した特徴量を蓄積する、
ことを特徴とする付記１１乃至１７のいずれか一項に記載の人物認証用辞書更新装置。
【０１５７】
（付記１９）  前記更新に用いる問い合わせ生体情報が選択された際に、利用者または管理者に対して更新の有無の確認を行う確認手段を更に含み、
前記更新部は、前記確認手段によって更新指示が出た際に更新を行う、
ことを特徴とする付記１１乃至１８のいずれか一項に記載の人物認証用辞書更新装置。
【０１５８】
（付記２０）  前記人物の生体情報は、顔画像、指紋画像、虹彩情報、掌形画像、指画像、音声情報のうち少なくともいずれか１つであることを特徴とする
付記１１乃至１９のいずれか一項に記載の人物認証用辞書更新装置。
【０１５９】
（付記２１）  コンピュータに、認識対象となる人物の生体情報を保存する人物認証用辞書を更新させる人物認証用辞書更新プログラムであって、前記コンピュータに、
所定の期間内に受け付けた、問い合わせ生体情報を履歴蓄積手段に蓄積する蓄積手順と、
前記蓄積された問い合わせ生体情報同士の類似度を測定して、生体情報の対毎の類似度を作成する作成手順と、
類似度が高いと判定された生体情報の対に基づき、前記人物認証用辞書を更新する更新手順と、
を実行させる人物認証用辞書更新プログラム。
【０１６０】
（付記２２）  前記更新手順は、前記コンピュータに、類似する生体情報の対の総数があらかじめ定めた数以上であったときに、前記類似度が高いと判定された生体情報の対をなす少なくとも一つの生体情報を用いて、前記人物認証用辞書を更新させる、
付記２１に記載の人物認証用辞書更新プログラム。
【０１６１】
（付記２３）  前記更新手順は、前記コンピュータに、類似する生体情報の対により相互に隣接する生体情報の最大値があらかじめ定めた数以上であったときに、前記相互に隣接する生体情報の最大値を与える生体情報群のうち少なくとも一つの生体情報を用いて、前記人物認証用辞書を更新させる、
付記２１に記載の人物認証用辞書更新プログラム。
【０１６２】
（付記２４）  前記蓄積手順は、前記コンピュータに、認証を行う対象となる人物毎に問い合わせ生体情報を前記履歴蓄積手段に蓄積させ、
前記作成手順は、前記コンピュータに、前記対象人物毎に、前記蓄積された問い合わせ生体情報同士の類似度を測定して、前記生体情報の対毎の類似度を作成させる、
付記２１乃至２３のいずれか一項に記載の人物認証用辞書更新プログラム。
【０１６３】
（付記２５）  前記コンピュータに、受け付けた問い合わせ生体情報と前記人物認証用辞書とを照合する照合手順をさらに実行させ、
前記蓄積手順は、前記コンピュータに、前記照合手順において算出された前記受け付けた問い合わせ生体情報の類似度が所定の類似度より高いと判定された場合に、前記受け付けた問い合わせ生体情報を対応する人物の問い合わせ生体情報として前記履歴蓄積手段に蓄積させる、
付記２４に記載の人物認証用辞書更新プログラム。
【０１６４】
（付記２６）  前記コンピュータに、受け付けた問い合わせ生体情報と前記人物認証用辞書とを照合する照合手順をさらに実行させ、
前記蓄積手順は、前記コンピュータに、前記照合手順において算出された前記受け付けた問い合わせ生体情報の類似度が、あらかじめ定めた第１の類似度より高く、あらかじめ定めた第２の類似度より低かった場合に、前記受け付けた問い合わせ生体情報を対応する人物の問い合わせ生体情報として前記履歴蓄積手段に蓄積させる、
付記２４に記載の人物認証用辞書更新プログラム。
【０１６５】
（付記２７）  前記蓄積手順は、前記コンピュータに、問い合わせ生体情報と前記人物認証用辞書との照合以外の方法で、対象人物が特定される場合には、前記問い合わせ生体情報を対応する人物の問い合わせ用生体情報として前記履歴蓄積手段に蓄積させる、
付記２４乃至２６いずれか一項に記載の人物認証用辞書更新プログラム。
【０１６６】
（付記２８）  前記蓄積手順は、前記コンピュータに、前記問い合わせ生体情報として、生体情報から抽出した特徴量を前記履歴蓄積手段に蓄積させる、
付記２１乃至２７のいずれか一項に記載の人物認証用辞書更新プログラム。
【０１６７】
（付記２９）  前記コンピュータに、前記更新に用いる問い合わせ生体情報が選択された際に、利用者または管理者に対して更新の有無の確認を行う確認手順を更に実行させ、
前記更新手順は、前記コンピュータに、前記確認手順にて更新指示が出た際に更新を行わせる、
付記２１乃至２８のいずれか一項に記載の人物認証用辞書更新プログラム。
【０１６８】
（付記３０）  前記人物の生体情報は、顔画像、指紋画像、虹彩情報、掌形画像、指画像、音声情報のうち少なくともいずれか１つであることを特徴とする
付記２１乃至２９のいずれか一項に記載の人物認証用辞書更新プログラム。
【０１６９】
（付記３１）  少なくとも１つの端末と、サーバとから構成され、人物の認証を行う人物認証システムであって、前記サーバは、
認識対象となる前記人物の生体情報を保存する人物認証用辞書と、
前記少なくとも１つの端末から所定の期間内に受け付けた、問い合わせ生体情報を蓄積する履歴蓄積手段と、
前記蓄積された問い合わせ生体情報同士の類似度を測定して、生体情報の対毎の類似度を作成する作成手段と、
類似度が高いと判定された生体情報の対に基づき、前記人物認証用辞書を更新する更新部と、
前記少なくとも１つの端末から受け付けた問い合わせ生体情報と前記人物認証用辞書とを照合する照合手段と、
を備えたことを特徴とする人物認証システム。
【０１７０】
（付記３２）  前記更新部は、類似する生体情報の対の総数があらかじめ定めた数以上であったときに、前記類似度が高いと判定された生体情報の対をなす少なくとも一つの生体情報を用いて、前記人物認証用辞書を更新する、
ことを特徴とする付記３１に記載の人物認証システム。
【０１７１】
（付記３３）  前記更新部は、類似する生体情報の対により相互に隣接する生体情報の最大値があらかじめ定めた数以上であったときに、前記相互に隣接する生体情報の最大値を与える生体情報群のうち少なくとも一つの生体情報を用いて、前記人物認証用辞書を更新する、
ことを特徴とする付記３１に記載の人物認証システム。
【０１７２】
（付記３４）  前記履歴蓄積手段は、認証を行う対象となる人物毎に問い合わせ生体情報を蓄積し、
前記作成手段は、前記対象人物毎に、前記蓄積された問い合わせ生体情報同士の類似度を測定して、前記生体情報の対毎の類似度を作成する、
ことを特徴とする付記３１乃至３３のいずれか一項に記載の人物認証システム。
【０１７３】
（付記３５）  前記履歴蓄積手段は、前記照合手段において算出された前記受け付けた問い合わせ生体情報の類似度が所定の類似度より高いと判定された場合に、前記受け付けた問い合わせ生体情報を対応する人物の問い合わせ生体情報として蓄積する、
ことを特徴とする付記３４に記載の人物認証システム。
【０１７４】
（付記３６）  前記履歴蓄積手段は、前記照合手段において算出された前記受け付けた問い合わせ生体情報の類似度が、あらかじめ定めた第１の類似度より高く、あらかじめ定めた第２の類似度より低かった場合に、前記受け付けた問い合わせ生体情報を対応する人物の問い合わせ生体情報として蓄積する、
ことを特徴とする付記３４に記載の人物認証システム。
【０１７５】
（付記３７）  前記履歴蓄積手段は、問い合わせ生体情報と前記人物認証用辞書との照合以外の方法で、対象人物が特定される場合には、前記問い合わせ生体情報を対応する人物の問い合わせ用生体情報として蓄積する、
ことを特徴とする付記３４乃至３６いずれか一項に記載の人物認証システム。
【０１７６】
（付記３８）  前記履歴蓄積手段は、前記問い合わせ生体情報として、生体情報から抽出した特徴量を蓄積する、
ことを特徴とする付記３１乃至３７のいずれか一項に記載の人物認証システム。
【０１７７】
（付記３９）  前記少なくとも１つの端末は、前記更新に用いる問い合わせ生体情報が選択された際に、利用者または管理者に対して更新の有無の確認を行う確認手段を含み、
前記更新部は、前記確認手段によって更新指示が出た際に更新を行う、
ことを特徴とする付記３１乃至３８のいずれか一項に記載の人物認証システム。
【０１７８】
（付記４０）  前記人物の生体情報は、顔画像、指紋画像、虹彩情報、掌形画像、指画像、音声情報のうち少なくともいずれか１つであることを特徴とする
付記３１乃至３９のいずれか一項に記載の人物認証システム。
【産業上の利用可能性】
【０１７９】
本発明は、ビルの入退室の管理や勤務管理などを生体情報を用いて行うシステムに適用可能である。また、携帯電話等の個人の端末の利用に際して利用者確認を、生体情報を利用して行うシステムに適用可能である。また、本発明は、携帯端末等を利用したソーシャルネットワークサービスなどで、あらかじめ登録した会員間の情報を交換するコミュニケーションシステムでの交換するための対象者の特定や管理に生体情報を利用する際に適用できる。また、本発明は、ソーシャルネットワークサービスのみならず、企業間の連絡やビジネス利用、展示会などでのコミュニケーションのための認証システムへの適用など、生体認証を用いた利用管理、コミュニケーション会員管理、情報調査など広い範囲の生体認証システムに適用可能である。
【符号の説明】
【０１８０】
１００１０  問い合わせ入力手段
１００２０  登録情報蓄積手段
１００３０  照合手段
１００４０  人物判定手段
１００５０  問い合わせ履歴蓄積手段
１００６０  履歴情報照合手段
１００７０  更新可否判定手段
１００８０  更新手段
２００１０  問い合わせ入力手段
２００２０  登録情報蓄積手段
２００３０  照合手段
２００４０  人物判定手段
２００５０  問い合わせ履歴蓄積手段
２００６０  履歴情報照合手段
２００７０  更新可否判定手段
２００８０  更新手段
２００９０  特徴量抽出手段
２０１００  履歴蓄積判定手段
２０１１０  問い合わせ履歴更新手段
２０１２０  更新可否利用者確認手段
３０１００  端末
３０１１０  問い合わせ入力手段
３０１２０  結果表示手段
３０１３０  更新可否利用者確認手段
３０１４０  通信手段
３０３００  通信手段
３０４００  制御手段
３０４１０  特徴量抽出手段
３０４２０  履歴蓄積判定手段
３０４３０  問い合わせ履歴更新手段
３０４４０  更新可否判定手段
３０４５０  照合手段
３０４６０  人物判定手段
３０４７０  履歴情報照合手段
３０４８０  更新手段
３０５００  蓄積手段
３０５１０  登録情報蓄積手段
３０５２０  問い合わせ履歴蓄積手段
【図１】
2014067171.tif 000003
【図２】
2014067171.tif 000004
【図３】
2014067171.tif 000005
【図４】
2014067171.tif 000006
【図５】
2014067171.tif 000007
【図６】
2014067171.tif 000008
【図７】
2014067171.tif 000009
【図８】
2014067171.tif 000010
【図９】
2014067171.tif 000011
【図１０】
2014067171.tif 000012
【図１１】
2014067171.tif 000013